(57)【特許請求の範囲】
【請求項１】
通信インターフェースと、
記憶媒体と、
前記通信インターフェースと前記記憶媒体とに結合された処理回路であって、
前記通信インターフェースを介してリダイレクションメッセージを受信して、前記リダイレクションメッセージが、ターゲットセルにリダイレクトするようアクセス端末に指示するように構成され、
前記リダイレクションメッセージを受信することに応答して前記ターゲットセルを取得して、
前記アクセス端末に関連付けられる現在の無線ネットワーク一時識別子(RNTI)が、前記ターゲットセルにおける使用には無効であると判定して、前記判定が、
CELL_FACH状態の前記ターゲットセルにキャンプオンするためにHS-FACHが使用されると判定することと、
前記リダイレクションメッセージがH-RNTIを含まなかったと判定することと、
前記記憶媒体に記憶された現在のRNTIがH-RNTIではないと判定することを含み、
前記現在のRNTIが前記ターゲットセルにおける使用には無効であるという前記判定に応答して、前記ターゲットセルにおいてセル更新手順を開始するように構成された処理回路とを備える、アクセス端末。
【請求項２】
前記アクセス端末に関連付けられる前記現在のRNTIが、前記ターゲットセルにおける使用には無効であると判定するように構成された前記処理回路が、
前記記憶媒体に記憶された前記現在のRNTIがH-RNTIであると判定して、
現在のH-RNTIが、前記ターゲットセルにおいて無効であると判定するようにさらに構成される、請求項1に記載のアクセス端末。
【請求項３】
前記リダイレクションメッセージがRRC再構成メッセージを備える、請求項1に記載のアクセス端末。
【請求項４】
前記ターゲットセルを取得するように構成された前記処理回路が、
前記ターゲットセルに接続して、
CELL_FACH状態の前記ターゲットセルにキャンプオンするようにさらに構成される、請求項1に記載のアクセス端末。
【請求項５】
前記処理回路が、
前記ターゲットセルにおいて前記セル更新手順を開始することに応答して、前記通信インターフェースを介して、前記ターゲットセルにおける使用には有効なH-RNTIを受信するようにさらに構成される、請求項1に記載のアクセス端末。
【請求項６】
ワイヤレスネットワーク内のサービングセルからリダイレクションメッセージを受信するステップと、
前記リダイレクションメッセージを受信することに応答して、前記ワイヤレスネットワーク内のターゲットセルを取得するステップと、
アクセス端末に関連付けられる現在の無線ネットワーク一時識別子(RNTI)が、前記ターゲットセルにおける使用には有効であるかどうかを判定するステップであって、
前記ターゲットセルが、CELL_FACH状態の前記ターゲットセルにキャンプオンするアクセス端末ごとにH-RNTIを利用しているHS-FACHを使用すると判定するステップと、
前記アクセス端末に関連付けられる前記現在のRNTIがH-RNTIではないと判定するステップとを備える、判定するステップと、
前記現在のRNTIが前記ターゲットセルにおける使用には無効であると判定されると、前記ターゲットセルにおいてセル更新手順を開始するステップとを備える、アクセス端末上で動作する方法。
【請求項７】
前記アクセス端末に関連付けられる前記現在のRNTIが、前記ターゲットセルにおける使用には有効であるかどうかを判定するステップが、
前記アクセス端末に関連付けられる前記現在のRNTIが、前記サービングセルにおける使用には有効であったH-RNTIであると判定するステップと、
現在のH-RNTIが前記ターゲットセルにおける使用には無効であると判定するステップとを備える、請求項6に記載の方法。
【請求項８】
前記ワイヤレスネットワーク内の前記サービングセルから前記リダイレクションメッセージを受信するステップが、
前記ターゲットセルにおいて前記アクセス端末によって使用されるべきH-RNTIを含まないリダイレクションメッセージを受信するステップを備える、請求項6に記載の方法。
【請求項９】
前記ワイヤレスネットワーク内の前記サービングセルから前記リダイレクションメッセージを受信するステップが、
前記ワイヤレスネットワーク内の前記サービングセルからRRC再構成メッセージを受信するステップを備える、請求項6に記載の方法。
【請求項１０】
前記リダイレクションメッセージを受信することに応答して前記ワイヤレスネットワーク内の前記ターゲットセルを取得するステップが、CELL_FACH状態の前記ターゲットセルにキャンプオンするステップを備える、請求項6に記載の方法。
【請求項１１】
前記ターゲットセルにおいて前記セル更新手順を開始するステップに応答して、更新されたRNTIを受信するステップをさらに備える、請求項6に記載の方法。
【請求項１２】
ワイヤレスネットワーク内のサービングセルからリダイレクションメッセージを受信するための手段と、
前記リダイレクションメッセージを受信することに応答して、前記ワイヤレスネットワーク内のターゲットセルを取得するための手段と、
アクセス端末に関連付けられる現在の無線ネットワーク一時識別子(RNTI)が、前記ターゲットセルにおける使用には有効であるかどうかを判定するための手段であって、前記判定するための手段は、
前記ターゲットセルが、CELL_FACH状態の前記ターゲットセルにキャンプオンするアクセス端末ごとにH-RNTIを利用しているHS-FACHを使用すると判定し、
前記アクセス端末に関連付けられる前記現在のRNTIがH-RNTIではないと判定するように構成される、判定するための手段と、
前記現在のRNTIが前記ターゲットセルにおける使用には無効であると判定されると、前記ターゲットセルにおいてセル更新手順を開始するための手段とを備える、アクセス端末。
【請求項１３】
前記アクセス端末に関連付けられる前記現在のRNTIが、前記ターゲットセルにおける使用には有効であるかどうかを判定するための前記手段が、
前記アクセス端末に関連付けられる前記現在のRNTIが、前記サービングセルにおける使用には有効であったH-RNTIであると判定し、
現在のH-RNTIが前記ターゲットセルにおける使用には無効であると判定するようにさらに構成される、請求項12に記載のアクセス端末。
【請求項１４】
前記リダイレクションメッセージが、前記ターゲットセルにおいて前記アクセス端末によって使用されるべきH-RNTIを含まないRRC再構成メッセージを備える、請求項12に記載のアクセス端末。
【請求項１５】
前記ターゲットセルを取得するための前記手段が、
前記ターゲットセルに接続し、
CELL_FACH状態の前記ターゲットセルにキャンプオンするようにさらに構成される、請求項12に記載のアクセス端末。
【請求項１６】
処理回路に、
受信されたリダイレクションメッセージに応答してターゲットセルを取得させて、
現在の無線ネットワーク一時識別子(RNTI)が、前記ターゲットセルにおける使用には無効であると判定させて、前記判定が、
前記ターゲットセルが、CELL_FACH状態の前記ターゲットセルにキャンプオンするためにH-RNTIを利用しているHS-FACHを使用すると判定させることと
前記現在のRNTIがH-RNTIではないと判定させることとを備え、
前記現在のRNTIが前記ターゲットセルにおける使用には無効であるという前記判定に応答して、前記ターゲットセルにおいてセル更新手順を開始させるためのプログラミングを備える、プロセッサ可読記憶媒体。
【請求項１７】
前記処理回路に、前記現在のRNTIが前記ターゲットセルにおける使用には無効であると判定させるための前記プログラミングが、前記処理回路に、
前記現在のRNTIが、以前のサービングセルにおいて有効であったH-RNTIであると判定させて、
現在のH-RNTIが、前記ターゲットセルにおいて無効であると判定させるためのプログラミングを備える、請求項16に記載のプロセッサ可読記憶媒体。
【請求項１８】
前記リダイレクションメッセージが、前記ターゲットセルにおいて使用されるべきH-RNTIを含まないRRC再構成メッセージを備える、請求項16に記載のプロセッサ可読記憶媒体。
【請求項１９】
前記処理回路に、前記ターゲットセルを取得させるための前記プログラミングが、前記処理回路に、
前記ターゲットセルに接続させて、
CELL_FACH状態の前記ターゲットセルにキャンプオンさせるためのプログラミングを備える、請求項16に記載のプロセッサ可読記憶媒体。
【発明の詳細な説明】
【技術分野】
【０００１】
米国特許法第119条の下の優先権の主張
本特許出願は、2013年3月8日に出願され、本願の譲受人に譲渡され、参照により本明細書に明確に組み込まれる、「Maintaining Synchronization With Network Upon Redirection to a Cell in FACH State Without H-RNTI」と題する、米国仮出願第61/775,266号に対する優先権を主張する。
【０００２】
以下で論じる技術は、一般にワイヤレス通信に関し、より具体的には、ネットワーク起動セルリダイレクションがある場合に、有効なH-RNTIを有するアクセス端末の更新を容易にするための方法およびデバイスに関する。
【背景技術】
【０００３】
ワイヤレス通信ネットワークは、電話、ビデオ、データ、メッセージング、ブロードキャストなどの様々な通信サービスを提供するために広く展開されている。通常は複数のアクセスネットワークであるそのようなネットワークは、利用可能なネットワークリソースを共有することによって、複数のユーザのための通信をサポートする。そのようなネットワークの一例は、UMTS地上無線アクセスネットワーク(UTRAN)である。UTRANは、第3世代パートナーシッププロジェクト(3GPP)によってサポートされる第3世代(3G)モバイル電話技術である、ユニバーサルモバイルテレコミュニケーションシステム(UMTS)の一部として定義された、無線アクセスネットワーク(RAN)である。グローバルシステムフォーモバイルコミュニケーションズ(GSM(登録商標))技術の後継であるUMTSは、現在、広帯域符号分割多元接続(W-CDMA)、時分割符号分割多元接続(TD-CDMA)、および時分割同期符号分割多元接続(TD-SCDMA)などの、様々なエアインターフェース規格をサポートしている。また、UMTSは、関連するUMTSネットワークに、より高いデータ転送速度と容量を提供する高速パケットアクセス(HSPA)などの、拡張型3Gデータ通信プロトコルをサポートしている。
【０００４】
モバイルブロードバンドアクセスの需要が増加し続けているため、増加するモバイルブロードバンドアクセスの需要を満たすためだけでなく、モバイル通信のユーザエクスペリエンスを推進させ、強化するために、研究および開発がUMTS技術を推進させ続けている。
【発明の概要】
【課題を解決するための手段】
【０００５】
以下で、論じられる技術の基本的な理解を提供するために、本開示のいくつかの態様の概要を示す。この概要は、本開示のすべての企図される特徴の広範な概説ではなく、本開示のすべての態様の主要または重要な要素を特定することも、本開示の任意またはすべての態様の範囲を描写することも意図されない。唯一の目的は、後に提示されるより詳細な説明の前置きとして、本開示の1つまたは複数の態様のいくつかの概念を要約形式で提示することである。
【０００６】
本開示の様々な例および実装形態は、ワイヤレス通信システムにおけるサービングセルからターゲットセルへのアクセス端末のネットワーク起動リダイレクションに応答して、有効なH-RNTIを有するアクセス端末の更新を容易にする。
【０００７】
本開示の少なくとも1つの態様によれば、アクセス端末は、それぞれが処理回路に結合された、通信インターフェースおよび記憶媒体を含み得る。処理回路は、通信インターフェースを介してリダイレクションメッセージを受信するように適合され得る。リダイレクションメッセージは、ターゲットセルにリダイレクトするようにアクセス端末に指示するように適合され得る。処理回路は、リダイレクションメッセージに応答してターゲットセルを取得して、アクセス端末に関連付けられる現在の無線ネットワーク一時識別子(RNTI)は、ターゲットセルにおける使用には無効であると判定するようにさらに適合され得る。RNTIはターゲットセルにおける使用には無効であるという判定に応答して、処理回路は、ターゲットセルにおいてセル更新手順を開始するように適合され得る。
【０００８】
さらなる態様は、アクセス端末上で動作する方法、および/またはそのような方法を実行するための手段を含むアクセス端末を提供する。そのような方法の1つまたは複数の例には、ワイヤレスネットワーク内のサービングセルからリダイレクションメッセージを受信するステップがある。ワイヤレスネットワーク内のターゲットセルは、リダイレクションメッセージに応答して取得され得る。アクセス端末に関連付けられる現在の無線ネットワーク一時識別子(RNTI)が、ターゲットセルにおける使用に有効かどうか判定が行われる。RNTIがターゲットセルにおける使用に有効であると判定される場合、セル更新手順はターゲットセルにおいて開始され得る。
【０００９】
さらなる態様は、アクセス端末などのコンピュータ上で動作するプログラミングを備える、プロセッサ可読記憶媒体を含む。1つまたは複数の例によれば、そのようなプログラミングは、処理回路に、受信されたリダイレクションメッセージに応答してターゲットセルを取得させるように適合され得る。プログラミングは、処理回路に、現在の無線ネットワーク一時識別子(RNTI)が、ターゲットセルにおける使用には無効であるかどうかを判定させるようにさらに適合され得る。さらに、プログラミングは、処理回路に、RNTIがターゲットセルにおける使用には無効であるという判定に応答して、ターゲットセルにおいてセル更新手順を開始させるように適合され得る。
【００１０】
本開示に関連付けられる他の態様、特徴、および実施形態は、添付の図面と併せて以下の説明を検討することにより、当業者に明らかになるであろう。
【図面の簡単な説明】
【００１１】
【図１】本開示の1つまたは複数の態様がアプリケーションを見つけ得る、ネットワーク環境のブロック図である。
【図２】少なくとも1つの例による、図1のワイヤレス通信システムの選択構成要素を示すブロック図である。
【図３】アクセス端末によって実装され得る、プロトコルスタックアーキテクチャの例を示すブロック図である。
【図４】新しいセルを有するH-RNTIを取得するためにセル更新手順を実行しているアクセス端末の例を示す流れ図である。
【図５】少なくとも1つの例による、アクセス端末の選択構成要素を示すブロック図である。
【図６】少なくとも1つの例による、アクセス端末上で動作する方法を示す流れ図である。
【図７】図6のプロセスを実行するための、処理回路によって実行可能なプロセスの少なくとも1つの例を示す流れ図である。
【発明を実施するための形態】
【００１２】
添付の図面に関連して以下に記載する説明は、様々な構成の説明を意図するものであり、本明細書に記載の概念および特徴が実施され得る唯一の構成を表すことを意図するものではない。以下の説明は、様々な概念の完全な理解を提供する目的のための具体的な詳細を含む。しかしながら、これらの概念は、これらの具体的な詳細なしに実施され得ることは、当業者には明らかであろう。いくつかの例では、よく知られている回路、構造、技法、および構成要素は、説明される概念および特徴を曖昧にすることを避けるために、ブロック図の形で示されている。
【００１３】
本開示全体を通じて提示される様々な概念は、幅広い遠隔通信システム、ネットワークアーキテクチャ、および通信規格にわたって実装され得る。本開示のある態様は、UMTSならびに第3世代パートナーシッププロジェクト(3GPP)プロトコルおよびシステムについて以下に説明されており、関連する用語が以下の説明の多くに見出され得る。しかしながら、当業者は、本開示の1つまたは複数の態様は、1つまたは複数の他のワイヤレス通信プロトコルおよびシステムで使用されてもよく、その中に含まれてもよいことを認識するであろう。
【００１４】
図1を参照すると、本開示の1つまたは複数の態様がアプリケーションを見つけ得る、ネットワーク環境のブロック図が示されている。ワイヤレス通信システム100は、1つまたは複数の基地局102とアクセス端末104との間のワイヤレス通信を容易にするように適合されている。基地局102とアクセス端末104は、ワイヤレス信号を通じて相互作用するように適合され得る。いくつかの例では、そのようなワイヤレス相互作用は、複数の搬送波(異なる周波数の波形信号)上で発生し得る。各変調された信号は、制御情報(たとえば、パイロット信号)、オーバーヘッド情報、データ等を搬送し得る。
【００１５】
基地局102は、基地局アンテナを介してアクセス端末104とワイヤレスに通信することができる。基地局102は、それぞれが、ワイヤレス通信システム100へのワイヤレス接続(1つまたは複数のアクセス端末104のための)を容易にするように適合されたデバイスとして一般的に実装され得る。そのような基地局102は、当業者によって、基地トランシーバ局(BTS)、無線基地局、無線トランシーバ、トランシーバ機能、基本サービスセット(BSS)、および拡張サービスセット(ESS)、ノードB、フェムトセル、ピコセル、または他の何らかの適切な用語とも呼ばれ得る。
【００１６】
基地局102は、基地局コントローラの制御下でアクセス端末104と通信するように構成される(図2参照)。基地局102サイトの各々は、それぞれの地理的エリアに通信カバレージを提供することができる。本明細書では、基地局102ごとのカバレージエリア106は、セル106A、106B、または106Cとして識別される。基地局102のカバレージエリア106は、セクタ(図示されていないが、カバレージエリアの一部だけを構成する)に分割され得る。様々な例では、システム100は、異なるタイプの基地局102を含み得る。
【００１７】
1つまたは複数のアクセス端末104は、カバレージエリア106全体にわたって分散され得る。各アクセス端末104は、1つまたは複数の基地局102と通信することができる。アクセス端末104は、一般的に、ワイヤレス信号を通じて1つまたは複数の他のデバイスと通信する、1つまたは複数のデバイスを含み得る。そのようなアクセス端末104は、当業者によって、ユーザ装置(UE)、移動局(MS)、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、モバイル端末、ワイヤレス端末、遠隔端末、ハンドセット、端末、ユーザエージェント、モバイルクライアント、クライアント、または他の何らかの適切な用語とも呼ばれ得る。アクセス端末104は、モバイル端末および/または少なくとも実質的に固定された端末を含み得る。アクセス端末104の例には、モバイル電話、ページャ、ワイヤレスモデム、携帯情報端末、個人情報管理ソフトウェア(PIM)、パーソナルメディアプレーヤ、パームトップコンピュータ、ラップトップコンピュータ、タブレットコンピュータ、テレビ、機器、電子リーダ、デジタルビデオレコーダ(DVR)、マシンツーマシン(M2M)デバイス、計器、エンターテイメントデバイス、ルータ、および/あるいは、ワイヤレスまたはセルラーネットワークを通じて少なくとも部分的に通信する、他の通信/コンピューティングデバイスがある。
【００１８】
図2を参照すると、少なくとも1つの例による、ワイヤレス通信システム100の選択構成要素を示すブロック図が示されている。図示されるように、基地局102は、無線アクセスネットワーク(RAN)202の少なくとも一部として含まれている。無線アクセスネットワーク(RAN)202は、一般的に、1つまたは複数のアクセス端末104と、コアネットワーク204に含まれるネットワークエンティティなどの1つまたは複数の他のネットワークエンティティとの間のトラフィックおよびシグナリングを管理するように適合されている。様々な実装形態によれば、無線アクセスネットワーク202は、当業者によって、基地局サブシステム(BSS)、アクセスネットワーク、GSM(登録商標)端無線アクセスネットワーク(GERAN)、UMTS地上無線アクセスネットワーク(UTRAN)等と呼ばれることもある。
【００１９】
1つまたは複数の基地局102に加えて、無線アクセスネットワーク202は、当業者によって無線ネットワークコントローラ(RNC)とも呼ばれ得る、基地局コントローラ(BSC)206を含むことができる。基地局コントローラ206は、一般的に、基地局コントローラ206に接続された1つまたは複数の基地局102に関連付けられる、1つまたは複数のカバレージエリア内のワイヤレス接続の確立、解放、および保守を担当する。基地局コントローラ206は、1つまたは複数のノード、あるいはコアネットワーク204のエンティティと通信可能に結合され得る。
【００２０】
コアネットワーク204は、無線アクセスネットワーク202を介して接続されたアクセス端末104に様々なサービスを提供するワイヤレス通信システム100の一部である。コアネットワーク204は、回線交換(CS)ドメインとパケット交換(PS)ドメインとを含み得る。回路交換エンティティのいくつかの例には、MSC/VLR208として識別される移動交換局(MSC)およびビジタロケーションレジスタ(VLR)、ならびにゲートウェイMSC(GMSC)210がある。パケット交換要素のいくつかの例には、サービングGPRSサポートノード(SGSN)212、およびゲートウェイGPRSサポートノード(GSGN)214がある。EIR、HLR、VLR、および/またはAuCなどの他のネットワークエンティティが含まれてよく、それらのうちのいくつか、またはすべては、回路交換ドメインとパケット交換ドメインとの両方によって共有され得る。アクセス端末104は、回路交換ドメインを介して公衆交換電話網(PSTN)216への、およびパケット交換ドメインを介してIPネットワーク218へのアクセスを取得することができる。
【００２１】
アクセス端末104は、アクセス端末104と、ワイヤレス通信システム100の1つまたは複数のネットワークノードとの間でデータを通信するために、プロトコルスタックアーキテクチャを使用するように適合され得る。プロトコルスタックは、一般的に、階層がそれらの数値表示の順序で表される、通信プロトコルの階層化アーキテクチャの概念モデルを含み、転送されたデータは、各層によって、それらの表示の順序で順次処理される。一般的に、「スタック」は、最も低い数値表示を有する階層を最下部として垂直に図示される。図3は、アクセス端末104によって実装され得るプロトコルスタックアーキテクチャの例を示すブロック図である。図3におけるシグナリングプロトコルスタックの例では、プロトコルスタックは、非アクセス層(NAS)とアクセス層(AS)とに分割される。NASは、アクセス端末104とコアネットワーク204(図2参照)との間のシグナリングのための上位層を提供し、回路交換プロトコルとパケット交換プロトコルとを含み得る。ASは、RAN202とアクセス端末104との間のシグナリングのための下位層を提供し、ユーザプレーンと制御プレーンとを含み得る。本明細書では、ユーザプレーンまたはデータプレーンはユーザトラフィックを搬送し、制御プレーンは制御情報(すなわち、シグナリング)を搬送する。
【００２２】
図3に示されるように、ASは、層1(L1)、層2(L2)、および層3(L3)の3つの層を含む。層1 302は最下層であり、様々な物理層の信号処理機能を実装する。層1 302は、本明細書では物理層302とも呼ばれる。この物理層302は、アクセス端末104と基地局102との間の無線信号の送受信を提供する。
【００２３】
層2(または「L2層」)304と呼ばれるデータリンク層は物理層302の上位にあり、L3によって生成されたシグナリングメッセージの配信を担当する。L2層304は、物理層302によって提供されたサービスを使用する。L2層304は、様々なサブレイヤを含み得る。制御プレーンでは、L2層304は、媒体アクセス制御(MAC)サブレイヤ306と、無線リンク制御(RLC)サブレイヤ308との2つのサブレイヤを含む。ユーザプレーンでは、L2層304は、パケットデータ収束プロトコル(PDCP)サブレイヤ310をさらに含む。図示されていないが、アクセス端末104は、L2層304の上位に、ネットワーク側のPDNゲートウェイで終端するネットワーク層(たとえば、IP層)と、接続のもう一方の端で終端するおよびアプリケーション層とを含む、いくつかの上位層を有し得る。
【００２４】
MACサブレイヤ306は、L2層304の下位サブレイヤである。MACサブレイヤ306は、媒体アクセスプロトコルを実装して、物理層302によって提供されるサービスを使用して上位層のプロトコルデータユニットの転送を担当する。MACサブレイヤ306は、上位層から共有されたエアインターフェースへのデータのアクセスを管理することができる。
【００２５】
RLCサブレイヤ308は、L2層304内のMACサブレイヤ306の上位にある。RLCサブレイヤ308は、層3で生成されたシグナリングメッセージの正確な転送および配信を提供するデータリンクプロトコルを実装する。RLCサブレイヤは、下位層(たとえば、層1、およびMACサブレイヤ)によって提供されたサービスを使用する。
【００２６】
PDCPサブレイヤ310は、異なる無線ベアラと論理チャネルの間に多重化を提供する。また、PDCPサブレイヤ310は、無線伝送オーバーヘッド、データパケットを暗号することによるセキュリティ、および基地局102間のアクセス端末104に対するハンドオーバサポートを低減するために、上位層データパケットのヘッダ圧縮を提供する。
【００２７】
上位層またはL3層とも呼ばれ得る層3 312は、基地局102とアクセス端末104との間の通信プロトコルのセマンティクスとタイミングとに従って、シグナリングメッセージを開始および終了する。L3層312で、RRC層314は、アクセス端末104と基地局102との間の制御プレーンシグナリングを処理する。RRC層314は、上位層メッセージをルーティングして、ブロードキャスティングおよびページング機能を処理して、無線ベアラを確立および構成するなどための、いくつかの機能エンティティを含む。
【００２８】
RRC層314によって判定されるように、アクセス端末104は、いくつかのRRC状態のうちの1つにあってよい。RRC状態は、IDLEモードと接続モードとを含む。IDLEモードは、最も低いエネルギー消費を有し、接続モードは、スタンバイ状態のいくつかの中間レベルを含む。アクセス端末104は、呼または接続アクティビティに応じて、そのRRC状態を変更することができ、アクセス端末104がアクティブではない場合、さらに低い状態に入る。スタンバイ状態は、ネットワーク容量、呼設定時間、バッテリ時間、およびデータ速度などの要因間に、異なるトレードオフを提供する。IDLE状態は、バッテリ電力を節約するが、ワイヤレス接続をほとんど提供しない。
【００２９】
RRC接続モードでは、アクセス端末104は、CELL_DCH状態およびCELL_FACH状態を含む、いくつかの状態のうちの1つを使用することができる。CELL_DCH状態は、アクセス端末104に専用アップリンクおよびダウンリンク物理チャネルが割り当てられたRRC接続モードであり、アクセス端末104は、その現在のアクティブセットに従ってセルレベルで知られている。アクセス端末104は、アクセスネットワークによって指示されるように、ユーザデータおよびシグナリングメッセージのための、高速ダウンリンク共有チャネル(HS-DSCH)、および高速物理ダウンリンク共有チャネル(HS-PDSCH)などのダウンリンク共有チャネルを監視することができる。アクセス端末104は、ブロードキャストメッセージのためのフォワードアクセスチャネル(FACH)を監視することもできる。
【００３０】
CELL_FACH状態は、アクセス端末104に、アップリンク専用物理チャネルもダウンリンク専用物理チャネルも割り当てられないRRC接続モードである。しかしながら、アクセス端末104は、ブロードキャストメッセージ、または他の比較的小さいダウンリンク送信のための、ダウンリンク内のフォワードアクセスチャネル(FACH)を継続的に監視する。アクセス端末104は、最初にデバイスの伝送を基地局102と同期させるために、基地局102との相互作用のために使用され得るランダムアクセスチャネル(RACH)などの、アップリンク内のデフォルトの共通または共有トランスポートチャネルを割り当てられ得る。たとえば、RACHは、初期アクセスのために無線アクセスネットワーク202にアクセスするために、および特定のデータ伝送のために、アクセス端末104によって使用され得る。メッセージは、RACH上でスケジュールされていない方法で伝送される。
【００３１】
CELL_FACH状態では、アクセス端末104は、セルごとのレベル(per-cell level)で知られており、アクセス端末104がセル更新手順を最後に実行したセル内に存在すると考えられる。アクセス端末104は、共通トランスポートチャネル上で使用するために現在のセルに割り当てられたcell-RNTI(C-RNTI)を含み得る、無線ネットワーク一時識別子(RNTI)によって識別され得る。
【００３２】
3GPPリリース-7規格にはCELL_FACHの新しい拡張バージョンが導入されており、HS-FACHと呼ばれ得る。HS-FACHでは、アクセス端末104は、高速ダウンリンクパケットアクセス(HSDPA)のための以前の規格において確立された、高速ダウンリンク共有チャネル(HS-DSCH)を利用して、CELL_FACHで高速伝送を受信することが可能である。HS-FACHは、あるセル(たとえば、HS-FACHを含む3GPPリリース-7に従って構成されたセル)ではサポートされるが、他のセルではサポートされない。HS-FACHを利用するために、アクセス端末104は、一般的に、H-RNTIと呼ばれる、HS-DSCHに関連付けられるあるタイプの識別子を必要とする。
【００３３】
アクセス端末104がワイヤレス通信システム100内で動作すると、アクセス端末104は、ネットワークによって、あるセルから異なるセルに遷移するよう指示され得る。たとえば、アクセス端末104は、アクセス端末104が、RRC再構成メッセージとともに伝送された情報内で示されたターゲット周波数にキャンプオンするよう指示されるRRC再構成手順を使用してリダイレクトされ得る。典型的には、アクセス端末104は、CELL_FACH状態にある間にリダイレクトされる。アクセス端末104がCELL_DCH状態にある場合、たとえば、ネットワークは、アクセス端末104を異なるセルにリダイレクトする前に、アクセス端末104のCELL_DCH状態からCELL_FACH状態への遷移をトリガすることができる。アクセス端末104は、ネットワークからのリダイレクションに応答して、新しいセルを取得することができ、新しいセル内のCELL_FACH状態に入ることができる。CELL_FACH状態では、アクセス端末104は、ダウンリンクデータのための新しいセルの監視を試みることができる。しかしながら、ダウンリンクデータを受信するためには、アクセス端末104は有効なRNTIを有していなければならない。
【００３４】
多くの例では、ネットワークがリダイレクションを開始する時、ターゲットセルに関連付けられるRNTIは、ネットワークによってアクセス端末104に送信されるリダイレクション命令に含まれ得る。しかしながら、他の例では、CELL_FACHのアクセス端末104によってターゲットセルにおいて使用されるべきRNTIは、リダイレクション命令内では提供されない。たとえば、ネットワークは、HS-FACHをサポートすることができる、またはサポートすることができない第1のセルから、HS-FACHをサポートする第2のセルに、アクセス端末104をリダイレクトすることができるが、ネットワークは、リダイレクションリクエスト内で、第2のセルにおいて使用されるべき新しいH-RNTI(HS-FACHに必要な)を提供することができない。従来のシステムでは、アクセス端末104は、リダイレクションの前に、第1のセルのために以前に構成されたH-RNTIを使用することが予期される。しかしながら、第1のセルのために構成されたH-RNTIが第2のセルでは無効である場合、アクセス端末104は、第2のセルにおいてHS-DSCHを利用することができないことがある。
【００３５】
新しいH-RNTIは、セル更新手順を実行することによって、アクセス端末104によって取得され得る。しかしながら、セル更新手順は、ネットワークはアクセス端末104が配置された位置をすでに知っていると仮定されるので、典型的には、ネットワークによってリダイレクションが開始されている時は実行されない。
【００３６】
本開示の少なくとも1つの態様によれば、アクセス端末は、アクセス端末の以前のRNTIが新しいセルで使用可能ではない場合、あるセルから別のセルへのネットワーク起動リダイレクションに応答して、セル更新手順を実行するように適合されている。図4は、新しいセルでH-RNTIを取得するためにセル更新手順を実行しているアクセス端末104の例を示す流れ図である。図示されるように、アクセス端末104は、セル1に関連付けられるネットワークノード402から送信されたリダイレクションメッセージ406を受信することができる。この例では、リダイレクションメッセージ406は、新しいセルで使用されるべきH-RNTIを含まない。少なくとも1つの例では、そのようなリダイレクションメッセージはRRC再構成メッセージでよい。メッセージは、アクセス端末104に、第1のセルとの接続を切断して、指示された第2のセルの取得を開始させるための命令を含み得る。
【００３７】
リダイレクションメッセージに応答して、アクセス端末104は、セル2に関連付けられる1つまたは複数のネットワークノード404と接続することができる(408)。この例では、セル2は上述のHS-FACHをサポートする。セル2に接続することは、セル2上でCELL_FACH状態に入ることを含み得る。アクセス端末104は、その現在のRNTIが、セル2で使用可能ではないとさらに判定することができる(410)。たとえば、アクセス端末104は、HS-FACHのためのH-RNTIを有していない場合もあり、アクセス端末104が、セル2における使用には有効ではないセル1に関連付けられるH-RNTIを有している場合もある。
【００３８】
アクセス端末104のための現在のRNTIが、セル2では使用可能ではないと判定することに応答して、アクセス端末104は、セル2の1つまたは複数のネットワークノード404でセル更新手順412を実行する。
【００３９】
図5を参照すると、本開示の少なくとも1つの例による、アクセス端末500の選択構成要素を示すブロック図が示されている。アクセス端末500は、通信インターフェース504および記憶媒体506との電気通信に結合された、またはそこに配置された、処理回路502を含む。
【００４０】
処理回路502は、データを取得、処理、および/または送信して、データアクセスおよびストレージを制御して、コマンドを発行して、他の所望の動作を制御するように構成されている。少なくとも1つの例では、処理回路502は、適切な媒体によって提供された所望のプログラミングを実装するように適合された回路を含み得る。たとえば、処理回路502は、1つまたは複数のプロセッサ、1つまたは複数のコントローラ、および/あるいは実行可能なプログラミングを実行するように構成された他の構造として実装され得る。処理回路502の例には、汎用プロセッサ、デジタル信号プロセッサ(DSP)、特定用途向け集積回路(ASIC)、フィールドプログラマブルゲートアレイ(FPGA)または他のプログラマブル論理構成要素、ディスクリートゲートまたはトランジスタ論理回路、ディスクリートハードウェア構成要素、あるいは本明細書に記載の機能を実行するように設計されたそれらの任意の組合せがある。汎用プロセッサは、マイクロプロセッサ、ならびに任意の従来のプロセッサ、コントローラ、マイクロコントローラ、または状態機械を含み得る。また、処理回路502は、DSPとマイクロプロセッサの組合せ、いくつかのマイクロプロセッサ、DSPコアと組み合わせた1つまたは複数のマイクロプロセッサ、ASICおよびマイクロプロセッサ、あるいは他の任意の数の様々な構成などの、コンピューティング構成要素の組合せとして実装され得る。処理回路502のこれらの例は例示の目的であり、本開示の範囲内の他の適切な構成も考えられる。
【００４１】
処理回路502は、記憶媒体506に記憶され得るプログラミングの実行を含む、プロセスのために適合される。本明細書で使用されるように、「プログラミング」という用語は、ソフトウェア、ファームウェア、ミドルウェア、マイクロコード、ハードウェア記述言語、またはその他として呼ばれているかどうかに関わらず、制限なしに、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、手順、機能等を含むように広く解釈されるべきである。
【００４２】
いくつかの例では、処理回路502は、セルリダイレクションおよびRNTI管理モジュール/回路508を含み得る。セルリダイレクションおよびRNTI管理モジュール/回路508は、ターゲットセルをリダイレクトして、現在のRNTIがターゲットセルにおける使用には無効であると判定して、現在のRNTIがターゲットセルにおける使用には無効である場合、ターゲットセルにおいてセル更新手順を開始するように適合された回路および/またはプログラミング(たとえば、記憶媒体506に記憶されたセルリダイレクションおよびRNTI管理動作)を含み得る。
【００４３】
通信インターフェース504は、アクセス端末500のワイヤレス通信を容易にするように構成されている。たとえば、通信インターフェース504は、1つまたは複数のワイヤレスネットワークデバイス(たとえば、ネットワークノード)に対して双方向の情報の通信を容易にするように適合された回路および/またはプログラミングを含み得る。通信インターフェース504は、1つまたは複数のアンテナ(図示せず)に結合されてよく、少なくとも1つの受信器回路510(たとえば、1つまたは複数の受信器チェーン)および/または少なくとも1つの送信器回路512(たとえば、1つまたは複数の送信器チェーン)を含む、ワイヤレストランシーバ回路を含む。
【００４４】
記憶媒体506は、プロセッサ実行可能コードまたは命令(たとえば、ソフトウェア、ファームウェア)、電子データ、データベース、あるいは他のデジタル情報などのプログラミングを記憶するための1つまたは複数のプロセッサ可読デバイスを表し得る。また、記憶媒体506は、プログラミングを実行する際にプロセッサ回路502によって操作されたデータを記憶するために使用され得る。記憶媒体506は、ポータブルまたは固定記憶デバイス、光記憶デバイス、ならびにプログラミングを記憶、含有、および/または搬送することができる様々な他の媒体を含む、汎用または専用プロセッサによってアクセスされ得る任意の利用可能な媒体でよい。限定ではないが、例として、記憶媒体506は、磁気記憶デバイスなどのプロセッサ可読記憶媒体(たとえば、ハードディスク、フロッピー(登録商標)ディスク、磁気ストライプ)、光記憶媒体(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読出し専用メモリ(ROM)、プログラマブルROM(PROM)、消去可能PROM(EPROM)、電気的消去可能PROM(EEPROM)、レジスタ、リムーバブルディスク、および/またはプログラミングを記憶するための他の媒体、ならびにそれらの任意の組合せを含み得る。
【００４５】
記憶媒体506は、処理回路502が記憶媒体506から情報を読み取ることができ、またそこに情報を書き込むことができるように、処理回路502に結合され得る。すなわち、記憶媒体506は、記憶媒体506が少なくとも処理回路502によってアクセス可能であるように、処理回路502に結合されてよく、記憶媒体506が処理回路502にとって不可欠である例、および/または記憶媒体506が処理回路502から分離されている例(たとえば、アクセス端末500に常駐している、アクセス端末500の外部にある、複数のエンティティにわたって分散されている)を含む。
【００４６】
記憶媒体506によって記憶されたプログラミングは、処理回路502によって実行されると、処理回路502に、本明細書に記載の様々な機能および/または処理ステップのうちの1つまたは複数を実行させる。たとえば、本明細書に記載されるように、記憶媒体506は、処理回路502に、リダイレクションメッセージに応答してターゲットセルを取得させて、現在のRNTIがターゲットセルにおける使用には無効であると判定させて、RNTIが無効であることに応答してターゲットセルにおいてセル更新手順を開始させるように適合されたセルリダイレクションおよびRNTI管理動作514を含み得る。したがって、本開示の1つまたは複数の態様によれば、処理回路502は、本明細書に記載のアクセス端末(たとえば、アクセス端末104、アクセス端末500)のいずれか、またはすべてのためのプロセス、機能、ステップ、および/またはルーチンのうちのいずれか、またはすべてを実行する(記憶媒体506と組み合わせて)ように適合されている。本明細書で使用されるように、処理回路502に関連する「適合される(adapted)」という用語は、処理回路502が、本明細書に記載の様々な特徴に従って特定のプロセス、機能、ステップ、および/またはルーチンを実行するために構成されている、使用されている、実装されている、および/またはプログラムされている、のうちの1つまたは複数である(記憶媒体506と組み合わせて)ことを指してよい。
【００４７】
図6は、アクセス端末500などのアクセス端末上で動作する方法の少なくとも1つの例を示す流れ図である。図5および図6を参照すると、アクセス端末500は、ブロック602で、ワイヤレスネットワーク内のサービングセルからリダイレクションメッセージを受信することができる。たとえば、処理回路502は、通信インターフェース504を介して、アクセス端末500がキャンプオンされているサービングセルからリダイレクションメッセージを受信することができる。そのようなリダイレクションメッセージは、アクセス端末500で、ネットワーク向けのセルリダイレクションプロセスを開始することができる。
【００４８】
図7を参照すると、図6のプロセスを実行するための、処理回路502によって実行可能なプロセスの少なくとも1つの例による流れ図が示されている。この例では、ブロック602を実行するために動作702および704が使用され得る。より具体的には、セルリダイレクション&RNTI管理動作514を実行している処理回路502(たとえば、セルリダイレクション&RNTI管理モジュール/回路508)は、動作702で、サービングセル内のCELL_FACH状態に最初に遷移し得る。いくつかの例では、アクセス端末500は、ネットワークと通信するための専用チャネルを使用して、サービングセルにおいてCELL_DCH状態などのアクティブモードであった可能性がある。そのような例では、アクセス端末500は、CELL_FACH状態に遷移することができる。他の例では、アクセス端末500は、ネットワーク起動リダイレクションの前に、長期間にわたってすでにCELL_FACH状態にあった可能性があり、それによって、アクセス端末500は、FACH上のワイヤレスネットワークからメッセージを受信するしてよい。そのような例では、アクセス端末500は、FACH上でワイヤレスネットワークによってブロードキャストされたメッセージを受信するために使用されるべきRNTIを割り当てられている。
【００４９】
動作704で、セルリダイレクション&RNTI管理動作514を実行している処理回路502(たとえば、セルリダイレクション&RNTI管理モジュール/回路508)は、通信インターフェース504を介してサービングセルから受信されたリダイレクションメッセージを取得することができる。1つまたは複数の例では、リダイレクションメッセージは、RRC再構成メッセージでよい。リダイレクションメッセージは、セルリダイレクション&RNTI管理動作514を実行している処理回路502(たとえば、セルリダイレクション&RNTI管理モジュール/回路508)に、サービングセルから接続を切断して、ターゲットセルの取得を開始させるように適合されている。リダイレクションメッセージは、ターゲットセルにおけるアクセス端末500による使用に有効なRNTI(たとえば、有効なH-RNTI)を含むことに失敗する一方、取得されるべきターゲットセルを識別するリダイレクション情報を含み得る。
【００５０】
再び図5および図6を参照すると、アクセス端末500は、ブロック604で、リダイレクションメッセージに応答してターゲットセルを取得し得る。たとえば、セルリダイレクション&RNTI管理動作514を実行している処理回路502(たとえば、セルリダイレクション&RNTI管理モジュール/回路508)は、典型的なリダイレクション手順に従ってターゲットセルの従来の取得を実行することができる。より具体的には、図7を参照すると、セルリダイレクション&RNTI管理動作514を実行している処理回路502(たとえば、セルリダイレクション&RNTI管理モジュール/回路508)は、ターゲットセルに接続して、CELL_FACH状態のターゲットセルにキャンプオンすることによって、動作706を実行することができる。本開示のある態様によれば、ターゲットセルは、拡張されたCELL_FACH状態を使用して、それによって、アクセス端末500は、HS_FACHチャネル上でブロードキャストされたメッセージを受信することができる。上述のように、ターゲットセルがHS-FACH機能をサポートする場合、アクセス端末500は、HS_FACH上でワイヤレスネットワークによってブロードキャストされたメッセージを受信するためにH-RNTIを使用する。
【００５１】
図6のブロック606で、アクセス端末は、その現在のRNTIが、ターゲットセルにおける使用に有効かどうかを判定することができる。たとえば、セルリダイレクション&RNTI管理動作514を実行している処理回路502(たとえば、セルリダイレクション&RNTI管理モジュール/回路508)は、現在のRNTIがターゲットセルにおける使用に有効かどうかに関して判定を行うことができる。少なくとも1つの例では、セルリダイレクション&RNTI管理動作514を実行している処理回路502(たとえば、セルリダイレクション&RNTI管理モジュール/回路508)は、ターゲットセルがHS-FACH機能を使用すると判定すること、および現在のRNTI(たとえば、サービングセルのために有効であった、記憶媒体506に記憶されたRNTI)がH-RNTIではないと判定することによって、そのような判定を行うことができる。別の例では、セルリダイレクション&RNTI管理動作514を実行している処理回路502(たとえば、セルリダイレクション&RNTI管理モジュール/回路508)は、現在のRNTIは、サービングセルにおいて有効であったH-RNTIであり、現在のH-RNTIはターゲットセルにおいて有効ではないと判定することができる。
【００５２】
図7の例示的なアルゴリズムでは、図6のブロック606は判定ダイヤモンド708で実行されてよく、それによって、セルリダイレクション&RNTI管理動作514を実行している処理回路502(たとえば、セルリダイレクション&RNTI管理モジュール/回路508)は、リダイレクションメッセージが、ターゲットセルのための有効なH-RNTIを有するリダイレクション情報を含むかどうかを判定する。
【００５３】
再び図6を参照すると、ブロック608で、RNTIがターゲットセルにおける使用には無効であると判定されると、アクセス端末500は、ターゲットセルにおいてセル更新手順を開始することができる。この例では、たとえネットワークがアクセス端末500およびその位置をすでに認識していても、ネットワークによってリダイレクションが開始されているので、セル更新が実行される。ある例では、セルリダイレクション&RNTI管理動作514を実行している処理回路502(たとえば、セルリダイレクション&RNTI管理モジュール/回路508)は、セルリダイレクションの後に、アクセス端末500の現在のセルを有する無線アクセスネットワークを更新するために、セル更新手順を実行することができる。ブロック608は、図7のアルゴリズムにおける動作710に対応し得る。たとえば、判定ダイヤモンド708で、リダイレクション情報が有効なH-RNTIを含まない場合、セルリダイレクション&RNTI管理動作514を実行している処理回路502(たとえば、セルリダイレクション&RNTI管理モジュール/回路508)は動作710に進み、セル更新が開始される。
【００５４】
セルリダイレクション&RNTI管理動作514を実行している処理回路502(たとえば、セルリダイレクション&RNTI管理モジュール/回路508)は、アップリンク共通制御チャネル上で通信インターフェース504を介してセル更新リクエストメッセージを無線アクセスネットワークに伝送することによって、CELL_FACHまたはCELL_DCHからセル更新手順を開始することができる。セル更新リクエストメッセージに応答して、アクセス端末500は、通信インターフェース504を介して、ダウンリンク共通制御チャネル上のターゲットセルからセル更新確認メッセージを受信することができる。セル更新確認メッセージは、ターゲットセルにおけるアクセス端末500による使用に有効な、更新されたH-RNTIを含み得る。したがって、処理回路502は、更新されたH-RNTIを記憶媒体506に記憶することができる。
【００５５】
図7の動作712で、図示されるように、セルリダイレクション&RNTI管理動作514を実行している処理回路502(たとえば、セルリダイレクション&RNTI管理モジュール/回路508)は、リダイレクション情報が有効なH-RNTIを含まなかった場合は、H-RNTIが更新された後に、または、リダイレクション情報が有効なH-RNTIを含んでいたと判定された後に、FACHを監視することができる。
【００５６】
本明細書で上述した1つまたは複数の機能を実装することによって、アクセス端末は、リダイレクションメッセージ内で有効なH-RNTIを提供せずに、ネットワーク起動リダイレクションが発生した後に、FACHを監視するための有効なH-RNTIをタイムリーに取得することができる。上述の機能は、ネットワークがリダイレクションを開始する時にたとえセル更新手順が典型的に実行されなくても、ネットワークはアクセス端末の位置をすでに認識しているので、セル更新手順を有効にする。
【００５７】
上述の態様、配置、および実施形態は、具体的な詳細および特殊性で説明されているが、図1、図2、図3、図4、図5、図6および/または図7に示された、構成要素、ステップ、特徴、および/または機能のうちの1つまたは複数は、再配列されてもよく、および/あるいは単一の構成要素、ステップ、特徴、または機能に結合されてもよく、いくつかの構成要素、ステップ、または機能で実施されてもよい。本開示から逸脱することなしに、さらなる要素、構成要素、ステップ、および/または機能が追加されてもよく、利用されなくてもよい。図1、図2、図4、および/または図5に示される、装置、デバイス、および/または構成要素は、図3、図4、図6、および/または図7に記載された方法、特徴、パラメータ、および/またはステップのうちの1つまたは複数を実行または使用するように構成され得る。本明細書に記載の新規のアルゴリズムはまた、効率的にソフトウェアに実装されてもよく、および/またはハードウェアに埋め込まれてもよい。
【００５８】
本開示の特徴を特定の実施形態および図面に関連して説明してきたが、本開示のすべての実施形態は、本明細書に記載の有利な特徴の1つまたは複数を含むことができる。言い換えれば、1つまたは複数の実施形態を、特定の有利な特徴を有するものとして説明してきたが、そのような特徴のうちの1つまたは複数が、本明細書に記載の様々な実施形態のいずれかによって使用されてもよい。同様に、例示的な実施形態を、デバイス、システム、または方法の実施形態として本明細書で説明してきたが、そのような例示的な実施形態は、様々なデバイス、システム、および方法で実装され得ることを理解されるべきである。
【００５９】
また、少なくともいくつかの実装形態は、フローチャート、流れ図、構造図、またはブロック図として示されるプロセスとして説明されている点に留意されたい。フローチャートは、動作を順次プロセスとして記述する場合があるが、動作の多くは並行して、または同時に実行され得る。さらに、動作の順序は再配置され得る。その動作が完了すると、プロセスが終了する。プロセスは、方法、機能、手順、サブルーチン、サブプログラム等に対応し得る。プロセスが機能に対応する場合、その終了は、呼出し機能またはメイン機能への機能のリターンに対応する。本明細書に記載の様々な方法は、プロセッサ可読記憶媒体に記憶され得るプログラミング(たとえば、命令および/またはデータ)によって部分的にまたは完全に実装されて、1つまたは複数のプロセッサ、機械、および/またはデバイスによって実行され得る。
【００６０】
当業者は、本明細書に開示された実施形態に関連して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることをさらに理解するであろう。この互換性を明確に示すために、様々な例示的な構成要素、ブロック、モジュール、回路、およびステップが、それらの機能の観点から一般的に上記で説明されている。そのような機能性が、ハードウェアとして実装されるか、ソフトウェアとして実装されるかは、システム全体に課される特定のアプリケーションおよび設計制約に依存する。
【００６１】
本明細書に記載され、添付の図面において示される例に関連付けられる様々な特徴は、本開示の範囲から逸脱することなしに、異なる例および実装形態において実装され得る。したがって、ある特定の構成および配置が説明され、添付の図面で示されているが、記載された実施形態への様々な他の追加および修正、およびそこからの削除は当業者には明白なので、そのような実施形態は単なる例示にすぎず、本開示の範囲の限定するものではない。したがって、本開示の範囲は、添付の特許請求の範囲の文言および法的均等物によってのみ判定される。
【符号の説明】
【００６２】
1  セル
2  セル
100  ワイヤレス通信システム
102  基地局
104  アクセス端末
106  カバレージエリア
106A  セル
106B  セル
106C  セル
202  無線アクセスネットワーク
204  コアネットワーク
206  基地局コントローラ
208  MSC/VLR
210  ゲートウェイMSC(GMSC)
212  サービングGPRSサポートノード
214  ゲートウェイGPRSサポートノード
216  公衆交換電話網
218  IPネットワーク
302  層1
302  物理層
304  層2
304  データリンク層
304  L2層
306  媒体アクセス制御
308  無線リンク制御サブレイヤ
310  パケットデータ収束プロトコルサブレイヤ
312  層3
312  L3層
314  RRC層
402  ネットワークノード
404  ネットワークノード
406  リダイレクションメッセージ
412  セル更新手順
500  アクセス端末
502  処理回路
504  通信インターフェース
506  記憶媒体
508  セルリダイレクションおよびRNTI管理モジュール/回路
510  受信器回路
512  送信器回路
514  セルリダイレクションおよびRNTI管理動作
702  動作
704  動作
706  動作
708  判定ダイヤモンド
710  動作
712  動作
【図１】
0006411386.tif 000002
【図２】
0006411386.tif 000003
【図３】
0006411386.tif 000004
【図４】
0006411386.tif 000005
【図５】
0006411386.tif 000006
【図６】
0006411386.tif 000007
【図７】
0006411386.tif 000008